(57)【特許請求の範囲】
【請求項１】
外面側シートと肌面側シートとでおむつ本体が構成されるとともに、吸収性コアの上面と下面が透液性トップシートと不透液性バックシートでそれぞれで覆われてなる吸収体のバックシートが上記肌面側シートに接着され、上記外面側シートと肌面側シートとに、少なくとも胴周り開口部、胴周り部および左右一対の脚周り開口部を伸縮可能とする弾性部材が組み込まれて、胴周り部の左右側縁同士が接合されてなるパンツ型使い捨ておむつであって、
上記外面側シートと肌面側シートとはいずれも少なくとも通気性を有する熱可塑性合成繊維不織布で形成され、この外面側シートと肌面側シートとの間に上記胴周り用弾性部材が配置され、この胴周り用弾性部材の真上に位置して上記吸収体のバックシートが肌面側シートに接着されるとともに、上記胴周り用弾性部材は、上記胴周り部の左右側縁同士が接合される部位およびこの近傍位置においてのみ上記外面側シートと肌面側シートとの間に接着され、上記外面側シートと肌面側シートは、少なくとも上記吸収体が位置する部分では、胴周り用弾性部材を接着させないで、各胴周り用弾性部材の間で互いに接着されていることを特徴とするパンツ型使い捨ておむつ。
【請求項２】
上記外面側シートと肌面側シートは、少なくとも上記吸収体が位置する部分では、胴周り用弾性部材を接着させないで、各胴周り用弾性部材の間で幅方向に線状に互いに接着されている請求項１記載のパンツ型使い捨ておむつ。
【発明の詳細な説明】
【０００１】
【発明の属する技術分野】
本発明は、パンツ型使い捨ておむつに関する。
【０００２】
【従来の技術】
従来、パンツ型使い捨ておむつとしては、表面シートと内面シートとの間に吸収体を介在させ、表面シートと内面シートとの間に、胴周り開口部、胴周り部および左右一対の脚周り開口部を伸縮可能とする弾性部材が組み込まれて、胴周り部の左右側縁同士が接合されてなるものが提案されている（特開２０００−１０７２２５号公報参照）。
【０００３】
かかる従来技術では、熱可塑性合成樹脂フィルム又はこのフィルムに不織布をラミネートしてなる不透液性表面シートと熱可塑性合成繊維不織布でなる内面シートとの間に配置した胴周り用弾性部材の真上に位置して吸収体が配置されるとともに、この胴周り用弾性部材は、胴周り部の左右側縁同士が接合される部位の近傍においてのみ表面シートに接着されている。
【０００４】
そして、この構成においては、吸収体を横断する胴周り用弾性部材は、横断する部分において表面シートと吸収体とに対して分離しているから、胴周り用弾性部材が収縮しても、表面シートや吸収体に変形が生じにくくなって、吸収体が身体によく密着するという作用効果を奏することができるというものである。
【０００５】
【発明が解決しようとする課題】
しかしながら、胴周り用弾性部材は、表面シートのみに接着するものであるから、おむつの高速連続製造工程において、かかる接着自体が非常に難しいので実用的ではない。
【０００６】
また、不透液性表面シートは、熱可塑性合成樹脂フィルム又はこのフィルムに不織布をラミネートしてなるものであるから、通気性が悪くて不快感を生じ易い。
【０００７】
さらに、胴周り用弾性部材は、胴周り部の左右側縁同士が接合される部位の近傍においてのみ表面シートに接着されており、吸収体の部位では表面シートに接着していないために、表面シートに浮き現象が生じておむつの見栄えが悪い。
【０００８】
本発明は、上記従来の問題を解決するためになされたもので、高速連続製造工程に適し、通気性が良好で、かつ外面側シート（表面シート）に浮き現象が生じないように工夫したパンツ型使い捨ておむつを提供することを目的とするものである。
【０００９】
【課題を解決するための手段】
上記課題を解決するために、本発明は、外面側シートと肌面側シートとでおむつ本体が構成されるとともに、吸収性コアの上面と下面が透液性トップシートと不透液性バックシートでそれぞれで覆われてなる吸収体のバックシートが上記肌面側シートに接着され、上記外面側シートと肌面側シートとに、少なくとも胴周り開口部、胴周り部および左右一対の脚周り開口部を伸縮可能とする弾性部材が組み込まれて、胴周り部の左右側縁同士が接合されてなるパンツ型使い捨ておむつであって、
上記外面側シートと肌面側シートとはいずれも少なくとも通気性を有する熱可塑性合成繊維不織布で形成され、この外面側シートと肌面側シートとの間に上記胴周り用弾性部材が配置され、この胴周り用弾性部材の真上に位置して上記吸収体のバックシートが肌面側シートに接着されるとともに、上記胴周り用弾性部材は、上記胴周り部の左右側縁同士が接合される部位およびこの近傍位置においてのみ上記外面側シートと肌面側シートとの間に接着されていることを特徴とするパンツ型使い捨ておむつを提供するものである。
【００１０】
本発明によれば、胴周り用弾性部材を胴周り部の左右側縁同士が接合される部位およびこの近傍位置においてのみ外面側シートと肌面側シートとの間に接着するようにしたから、胴周り用弾性部材が収縮しても、外面側シートや吸収体に変形が生じにくくなる。
【００１１】
また、胴周り用弾性部材を外面側シートと肌面側シートとに接着するようにしたから、おむつの高速連続製造工程において、外面側シートのみに接着する従来技術と比べて、両シートに接着する本技術の方が接着が容易になる。
【００１２】
さらに、外面側シートと肌面側シートとはいずれも少なくとも通気性を有する熱可塑性合成繊維不織布で形成しており、従来技術のように、外面側シートが熱可塑性合成樹脂フィルム又はこのフィルムに不織布をラミネートして形成しているものではないから、通気性が良好になる。
【００１３】
なお、「近傍位置」とは、胴周り部の左右側縁同士が接合される部位と、吸収体の幅方向の両端部との間である。
【００１４】
請求項２のように、上記外面側シートと肌面側シートは、少なくとも上記吸収体が位置する部分では、胴周り用弾性部材を接着させないで、互いに接着されている構成であれば、吸収体部分での外側シートの「浮き」現象が生じなくなる。
【００１５】
なお、「接着」とは、接着剤の全面的な塗布による全面接着でも、ドット状或いはスパイラル状といった間隙のあいた部分的な接着でも良い。
【００１６】
【発明の実施の形態】
以下、本発明の実施の形態を図面を参照して詳細に説明する。
【００１７】
図１はパンツ型使い捨ておむつ１の一例を示す斜視図、図２は展開状態の正面図、図３（ａ）は図２のＡ−Ａ線断面図、（ｂ）は図２のＢ−Ｂ線断面図、（ｃ）は図２のＣ−Ｃ線断面図、図４は分解斜視図である。
【００１８】
図４に示すように、パンツ型使い捨ておむつ１は、外面側シート２と肌面側シート３と吸収体４とで基本構成されている。
【００１９】
上記外面側シート２と肌面側シート３とでおむつ本体が構成され、両シート２，３はいずれも少なくとも通気性を有する熱可塑性合成繊維不織布でパンツ外形状に形成されている。
【００２０】
上記両シート２，３には、胴周り部（前腹部）Ｐと胴周り部（後背部）Ｑとの間の股部Ｒの両側には脚穴部Ｓがそれぞれ形成されている。
【００２１】
上記外面側シート２の各胴周り部Ｐ，Ｑの上面には、幅方向に伸長状態で複数本の胴周り開口用弾性部材５と胴周り用弾性部材６とがそれぞれ添設されていると共に、各脚穴部Ｓの周縁に沿って長さ方向に伸長状態で複数本の脚周り用弾性部材７がそれぞれ添設されている。上記脚周り用弾性部材７は、幅方向に伸長状態で股部Ｒを横切るように添設されて、この添設の後に股部Ｒの脚周り用弾性部材７のみがカッターで切断されて、股部Ｒに収縮力が作用効果しないようになる。
【００２２】
上記各弾性部材５〜７は、帯状や糸状の天然ゴムまたは合成ゴムで形成されている。
【００２３】
上記肌面側シート３の幅は外面側シート２と同じ外形状であるが、長さは外面側シート２よりも短い外形状に形成されて、胴周り用弾性部材６と脚周り用弾性部材７とを挟み込んだ状態で外面側シート２に接着されている。なお、胴周り用弾性部材６は、肌面側シート３と外面側シート２との間に全面接着されておらず、その詳細は後に説明する。
【００２４】
上記胴周り開口部用弾性部材５は、図３（ａ）に示すように、外面側シート２の前後端部の折り返し部２ａの間に挟み込んだ状態で接着剤ａで接着されている。
【００２５】
上記吸収体４の吸収性コア４ａは、天然パルプ繊維、合成樹脂繊維や高吸収性樹脂材料などを混合または積層したものが扁平な砂時計形状に成形され、外周が薄葉紙で包まれ、さらにその上面が透液性トップシート４ｂで覆われるとともに下面が不透液性バックシート４ｃで覆われて、その周縁部がシールされた構造になっている。この吸収体４は、図３（ｂ）に示すように、バックシート４ｃが肌面側シート３の上面に接着剤ｂで接着されている。
【００２６】
上記外面側シート２の前後端部の折り返し部２ａは、図３（ｂ）のように、吸収体４の部分では吸収体４のトップシート４ｂの上面に接着剤ａで接着されるとともに、図３（ａ）のように、肌面側シート３の部分では肌面側シート３の上面に接着剤ａで接着されるようになる。
【００２７】
そして、図４でのおむつ本体（２，３）を股部Ｒを境にして内向きに２つ折りにして、各胴周り部Ｐ，Ｑの左右側縁１ａ，１ｂをそれぞれ接着することにより、図１の使用状態に組み立てられるようになる。
【００２８】
一方、上記胴周り用弾性部材６の真上に位置して上記吸収体４のバックシート４ｃが肌面側シート３の上面に接着剤ｂで接着されている。
【００２９】
そして、この胴周り用弾性部材６は、同じく図４および図２での各胴周り部Ｐ，Ｑの左右側縁１ａ，１ｂ同士が接着される部位およびこの近傍位置（図２の幅Ｗ１の範囲（クロスハッチング参照））においてのみ外面側シート２と肌面側シート３との間に接着剤ｃで接着されて、吸収体４の部位およびこの近傍位置（図２の幅Ｗ２の範囲）では接着されていない。
【００３０】
また、図３（ｂ）（ｃ）に示すように、上記外面側シート２と肌面側シート３は、上記吸収体４が位置する部分では、胴周り用弾性部材６を接着させないで、つまり、各胴周り用弾性部材６の間のみの外面側シート２と肌面側シート３とが互いに接着剤ｃ´で幅方向に線状に接着されている。
【００３１】
上記のように構成したパンツ型使い捨ておむつ１においては、胴周り用弾性部材６は、各胴周り部Ｐ，Ｑの左右側縁１ａ，１ｂ同士が接着される部位およびこの近傍位置においてのみ外面側シート２と肌面側シート３との間に幅Ｗ１の範囲で接着剤ｃで接着して、吸収体４の部位およびこの近傍位置の幅Ｗ２の範囲では接着していないから、胴周り用弾性部材６が収縮しても、吸収体４部分に位置する外面側シート２や吸収体４に変形が生じにくくなるので、吸収体４が身体によく密着するようになって尿漏れが減少するようになる。
【００３２】
また、胴周り用弾性部材６を外面側シート２と肌面側シート３とに接着するようにしたから、パンツ型使い捨ておむつ１の高速連続製造工程において、外面側シート２のみに接着する従来技術と比べて、本実施形態のように、両シート２，３に接着する方が接着が容易になるので、実用性に優れるようになる。
【００３３】
さらに、外面側シート２と肌面側シート３とはいずれも熱可塑性合成繊維不織布で形成して、従来技術にように、外面側シート２が熱可塑性合成樹脂フィルム又はこのフィルムに不織布をラミネートして形成しているものではないから、通気性が良好になるので快適性が向上するようになる。
【００３４】
さらにまた、外面側シート２と肌面側シート３は、吸収体４の部位およびこの近傍位置の幅Ｗ２の範囲では、胴周り用弾性部材６を接着させないで、互いに接着しているから、吸収体４の部分での外側シート２の「浮き」現象が生じなくなるので見栄えが向上するようになる。
【００３５】
上記実施形態では、胴周り用弾性部材６のほぼ全体の真上に吸収体４が存在するようにしたが（図３（ｂ）参照）、図３（ｄ）に示すように、吸収体４の長さが比較的短くて、胴周り用弾性部材６の一部の真上に吸収体４が存在するようにしても良い。この場合には、吸収体４の短い分だけおむつ本体（２，３）の通気性が良好になる。なお、１０は、外面側シート２の前後端部の折り返し部２ａと吸収体４のトップシート４ｂとの間に跨って接着される追加不織布である。
【００３６】
【発明の効果】
以上の説明からも明らかなように、本発明は、胴周り用弾性部材を胴周り部の左右側縁同士が接合される部位およびこの近傍位置においてのみ外面側シートと肌面側シートとの間に接着するようにしたから、胴周り用弾性部材が収縮しても、外面側シートや吸収体に変形が生じにくくなるので、吸収体が身体によく密着するようになって尿漏れが減少するようになる。
【００３７】
また、胴周り用弾性部材を外面側シートと肌面側シートとに接着するようにしたから、おむつの高速連続製造工程において、外面側シートのみに接着する従来技術と比べて、両シートに接着する本技術の方が接着が容易になるので、実用性に優れるようになる。
【００３８】
さらに、外面側シートと肌面側シートとはいずれも少なくとも通気性を有する熱可塑性合成繊維不織布で形成しており、従来技術のように、外面側シートが熱可塑性合成樹脂フィルム又はこのフィルムに不織布をラミネートして形成しているものではないから、通気性が良好になるので快適性が向上するようになる。
【００３９】
さらにまた、外面側シートと肌面側シートは、少なくとも吸収体の位置する部分では、胴周り用弾性部材を接着させないで、互いに接着している構成であれば（請求項２）、吸収体部分での外側シートの「浮き」現象が生じなくなるので見栄えが向上するようになる。
【図面の簡単な説明】
【図１】  パンツ型使い捨ておむつの斜視図である。
【図２】  パンツ型使い捨ておむつの展開状態の正面図である。
【図３】  （ａ）は図２のＡ−Ａ線断面図、（ｂ）は図２のＢ−Ｂ線断面図、（ｃ）は図２のＣ−Ｃ線断面図、（ｄ）は図２のＢ−Ｂ線に相当する変形例の断面図である。
【図４】  パンツ型使い捨ておむつの分解斜視図である。
【符号の説明】
１    パンツ型使い捨ておむつ
１ａ，１ｂ  左右側縁
２    外面側シート
３    肌面側シート
４    吸収体
４ａ  吸収性コア
４ｂ  トップシート
４ｃ  バックシート
５    胴周り開口用弾性部材
６    胴周り用弾性部材
７    脚周り用弾性部材
Ｐ    胴周り部（前腹部）
Ｑ    胴周り部（後背部）
Ｓ    脚穴部
Ｒ    股部
【図１】
0004233002.tif 000002
【図２】
0004233002.tif 000003
【図３】
0004233002.tif 000004
【図４】
0004233002.tif 000005